(57)【要約】【課題】複数の端末装置を近接して配置した場合でも端末装置とＩＣチップとのデータ通信を正常に行うことの可能なＩＣチップ利用システムを提供する。【解決手段】アンテナ３３０に接続する複数の端末装置１００，２００を設けるとともに、各端末装置１００，２００とアンテナ３３０との接続を切替える切替部４００を備えたので、リーダライタ３００のアンテナ３３０が第１の端末装置１００に接続された場合には、アンテナ３３０から発生する電波が第２の端末装置２００によって干渉されることがない。従って、複数の端末装置１００，２００を近接して配置した場合でも第１の端末装置１００（または第２の端末装置２００）とＩＣカード１０（またはＩＣカード２０）とのデータ通信を確実に行うことができ、各端末装置１００，２００のそれぞれに対応するサービスを正常に利用することができる。【選択図】図１
2007265241.tif 000002
【特許請求の範囲】
【請求項１】
所定のサービスに用いられるデータを記憶するＩＣチップと、ＩＣチップとの間でデータの送受信を非接触で行うアンテナを有するリーダライタと、ＩＣチップへのアクセスを指示する端末装置とを備え、端末装置のアクセス指示に基づいてＩＣチップとの間でデータの送受信をアンテナを介して行うことにより、ＩＣチップのデータの読み書きを行うようにしたＩＣチップ利用システムにおいて、
前記アンテナに接続する端末装置を複数台設けるとともに、
各端末装置とアンテナとの接続を切替える切替手段を備えた
ことを特徴とするＩＣチップ利用システム。
【請求項２】
前記切替手段をリーダライタに設けた
ことを特徴とする請求項１記載のＩＣチップ利用システム。
【請求項３】
前記リーダライタは、各端末装置との間でそれぞれデータの送受信を行う複数の送受信部を備え、
切替手段を各送受信部とアンテナとの間に設けた
ことを特徴とする請求項２記載のＩＣチップ利用システム。
【請求項４】
前記各端末装置と切替手段との間にそれぞれ設けられ、切替手段によってアンテナと接続可能となる端末装置からのアクセス指示に基づいてＩＣチップのデータの読み書きを行う複数のＩＣチップ制御装置を備えた
ことを特徴とする請求項１、２または３記載のＩＣチップ利用システム。
【請求項５】
前記各端末装置とアンテナとの間に設けられ、切替手段によってアンテナと接続可能となる端末装置からのアクセス指示に基づいてＩＣチップのデータの読み書きを行うＩＣチップ制御装置を備え、
切替手段をＩＣチップ制御装置に設けた
ことを特徴とする請求項１記載のＩＣチップ利用システム。
【請求項６】
前記切替手段をスイッチで構成した
ことを特徴とする請求項１、２、３、４または５記載のＩＣチップ利用システム。
【発明の詳細な説明】
【技術分野】
【０００１】
本発明は、ＩＣチップに記憶されたデータを用いて例えば電子マネーサービス等のサービスを利用することが可能なＩＣチップ利用システムに関するものである。
【背景技術】
【０００２】
従来、この種のＩＣチップ利用システムとして、所定のサービスに用いられるデータを記憶するＩＣチップと、ＩＣチップとの間でデータの送受信を非接触で行うアンテナを有するリーダライタと、ＩＣチップへのアクセスを指示する端末装置とを備え、端末装置のアクセス指示に基づいてＩＣチップとの間でデータの送受信をアンテナを介して行うことによりＩＣチップのデータの読み書きを行うようにしたものが知られている（例えば特許文献１参照）。
【０００３】
このＩＣチップ利用システムでは、１台の端末装置に１台のリーダライタが設けられており、ＩＣチップを備えた非接触ＩＣカードとの間でリーダライタから発生する電波により通信を行うようになっている。
【特許文献１】特開２００５−３０９４８１号公報
【発明の開示】
【発明が解決しようとする課題】
【０００４】
しかしながら、前記従来例では、端末装置毎にリーダライタが設けられているので、例えば複数の端末装置を互いに近接して配置した場合には、各端末装置のリーダライタから発生する電波が互いに干渉し合うことにより、端末装置とＩＣチップとの間でデータ通信を行うことができず、サービスを正常に利用することができないという問題点があった。
【０００５】
本発明は前記問題点に鑑みてなされたものであり、その目的とするところは、複数の端末装置を近接して配置した場合でも端末装置とＩＣチップとのデータ通信を確実に行うことの可能なＩＣチップ利用システムを提供することにある。
【課題を解決するための手段】
【０００６】
本発明は、前記目的を達成するために、所定のサービスに用いられるデータを記憶するＩＣチップと、ＩＣチップとの間でデータの送受信を非接触で行うアンテナを有するリーダライタと、ＩＣチップへのアクセスを指示する端末装置とを備え、端末装置のアクセス指示に基づいてＩＣチップとの間でデータの送受信をアンテナを介して行うことにより、ＩＣチップのデータの読み書きを行うようにしたＩＣチップ利用システムにおいて、前記アンテナに接続する端末装置を複数台設けるとともに、各端末装置とアンテナとの接続を切替える切替手段を備えている。
【０００７】
これにより、リーダライタのアンテナが１台の端末装置に接続されることから、アンテナから発生する電波が他の端末装置によって干渉されることがない。
【発明の効果】
【０００８】
本発明によれば、アンテナから発生する電波が他の端末装置によって干渉されることがないので、複数の端末装置を近接して配置した場合でも端末装置とＩＣチップとのデータ通信を確実に行うことができ、各端末装置のそれぞれに対応するサービスを正常に利用することができる。
【発明を実施するための最良の形態】
【０００９】
図１乃至図３は本発明の第１の実施形態を示すもので、図１はＩＣチップ利用システムの機能構成図、図２は非接触ＩＣカードのメモリ空間を示す図、図３は電子マネーサービスにおける入金処理を示すシーケンス図である。
【００１０】
このＩＣチップ利用システムは、それぞれ異なる電子マネーサービスの電子マネーの残高が記録された複数のＩＣカード１０，２０に対して電子マネーの入金を行うことが可能なシステムであり、図１に示すように、ＩＣチップを備えたＩＣカード１０，２０と、第１の電子マネーサービスを提供するための第１の端末装置１００と、第２の電子マネーサービスを提供するための第２の端末装置２００と、ＩＣカード１０，２０との間でデータ通信を行うリーダライタ３００と、各端末装置１００，２００とリーダライタ３００との接続を切替える切替部４００とを備えている。ここで、各端末装置１００，２００は互いに近接して配置されており、それぞれ切替部４００とケーブルを介して接続されている。
【００１１】
ＩＣカード１０には、リーダライタ３００との間でデータの送受信を非接触で行うコイル状のアンテナ（図示省略）と、アンテナに接続されたＩＣチップとが埋設されている。このＩＣチップのメモリ空間には、図２に示すように、第１の電子マネーサービス用の記憶領域１１が区画されており、この記憶領域１１には、第１の電子マネーサービス固有のサービスＩＤ１１ａ、第１の電子マネーサービスの利用者を識別するための利用者ＩＤ１１ｂ及び第１の電子マネーの電子マネー残高１１ｃが記憶されている。また、ＩＣカード１０は、リーダライタ３００から受信したＩＣカード用コマンドに応じて利用者ＩＤ１１ｂ及び電子マネー残高１１ｃのリーダライタ３００への送信または電子マネー残高１１ｃの更新を行う。
【００１２】
ＩＣカード２０はＩＣカード１０と同様に構成されており、ＩＣチップのメモリ空間には、第２の電子マネーサービス用の記憶領域２１が区画されている。また、この記憶領域２１には、第２の電子マネーサービス固有のサービスＩＤ２１ａ、第２の電子マネーサービスの利用者を識別するための利用者ＩＤ２１ｂ及び第２の電子マネーの電子マネー残高２１ｃが記憶されている。
【００１３】
第１の端末装置１００は、第１の電子マネーサービスを利用するための装置であり、第１の電子マネーの入金額を入力するための入金額指定ボタン１１０と、第１の電子マネーサービスを開始するためのサービス開始ボタン１２０と、各種情報を表示する表示部１３０と、投入された貨幣の正当性及び金額を識別する貨幣識別装置１４０と、ＩＣカード１０の各データ１１ａ，１１ｂ，１１ｃの読み書きを行うＩＣチップ制御装置としてのアクセスユニット１５０と、上記の各機器の制御を行う主制御部１６０とを備えている。
【００１４】
入金額指定ボタン１１０は複数のボタンで構成されており、各ボタンには「１０００円」や「３０００円」等のようにそれぞれ異なった金額が割り当てられている。入金額指定ボタン１１０の任意のボタンが押下されると、このボタンに応じた金額が第１の電子マネーの入金額として入力される。
【００１５】
表示部１３０は液晶ディスプレイであり、ＩＣカード１０の利用者ＩＤ１１ｂ及び電子マネー残高１１ｃや投入金額等を表示する。貨幣識別装置１４０は、第１の端末装置１００に設けられた貨幣投入口（図示省略）に投入された貨幣の正当性及び金額を識別し、投入貨幣の正当性を識別した場合には、投入貨幣を受容するとともに投入貨幣の金額を主制御部１６０に送信する。
【００１６】
アクセスユニット１５０は、主制御部１６０と後述の切替部４００との間に設けられており、ＩＣカード１０に対してデータの読み書きを行うユニット制御部１５１と、主制御部１６０及びリーダライタ３００と通信を行うための送受信部１５２とを備えている。ユニット制御部１５１はＲＯＭ、ＲＡＭ及びＣＰＵ等を備えており、送受信部１５２がＩＣカード１０へのアクセス指示用の信号を主制御部１６０から受信すると、ＩＣカード１０にアクセスするためのＩＣカード用コマンドを生成し、生成したＩＣカード用コマンドを送受信部１５２からリーダライタ３００に送信する。また、ユニット制御部１５１は、送受信部１５２がＩＣカード１０からリーダライタ３００を介して受信したデータのうち利用者ＩＤ１１ｂ及び電子マネー残高１１ｃを主制御部１６０に送信する。
【００１７】
主制御部１６０はＲＯＭ、ＲＡＭ及びＣＰＵ等を備え、ＲＯＭに記憶された第１の電子マネーサービスに係る処理プログラムを実行することにより各種機器を制御する。また、主制御部１６０は、サービス開始ボタン１２０が押下されると、スイッチ切替用の信号を切替部４００に送信するとともに、ＩＣカード１０へのアクセス指示用の信号をアクセスユニット１５０に送信する。なお、これらの処理の具体的な内容については後に詳説する。
【００１８】
第２の端末装置２００は、第２の電子マネーサービスを利用するための装置であり、第２の電子マネーの入金額を入力するための入金額指定ボタン２１０と、第２の電子マネーサービスを開始するためのサービス開始ボタン２２０と、各種情報を表示する表示部２３０と、投入された貨幣の正当性及び金額を識別する貨幣識別装置２４０と、ＩＣカード１０の各データ１１ａ，１１ｂ，１１ｃの読み書きを行うＩＣチップ制御装置としてのアクセスユニット２５０と、上記の各機器の制御を行う主制御部２６０とを備えている。なお、第２の端末装置２００の入金額指定ボタン２１０、サービス開始ボタン２２０、表示部２３０、貨幣識別装置２４０、アクセスユニット２５０及び主制御部２６０は、それぞれ第１の端末装置１００の入金額指定ボタン１１０、サービス開始ボタン１２０、表示部１３０、貨幣識別装置１４０、アクセスユニット１５０及び主制御部１６０と同様に構成されているため、説明を省略する。
【００１９】
リーダライタ３００は、各アクセスユニット１４０，２４０と通信を行うための送受信部３１０と、信号の変換処理を行う変換部３２０と、各ＩＣカード１０，２０との間でデータの送受信を非接触で行うアンテナ３３０とを備えている。変換部３２０は、送受信部３１０から受信したデジタル信号をアナログ信号に変換してアンテナ３３０に送信し、アンテナ３３０から受信したアナログ信号をデジタル信号に変換して送受信部３１０に送信する。
【００２０】
切替部４００は周知のスイッチからなり、各端末装置１００，２００とリーダライタ３００との間に設けられている。また、切替部４００は、各端末装置１００，２００のアクセスユニット１５０，２５０と、主制御部１６０，２６０と、リーダライタ３００に接続されており、第１の端末装置１００の主制御部１６０からスイッチ切替用の信号を受信すると、リーダライタ３００の送受信部３１０をアクセスユニット１５０の送受信部１５２に接続し、第２の端末装置２００の主制御部２６０からスイッチ切替用の信号を受信すると、リーダライタ３００の送受信部３１０をアクセスユニット２５０の送受信部２５２に接続する。
【００２１】
次に、本実施形態のＩＣチップ利用システムにおいて、第１の電子マネーサービスを利用してＩＣカード１０に第１の電子マネーの入金処理を行う場合の動作について図３のシーケンス図を参照して説明する。まず、第１の端末装置１００の主制御部１６０は、サービス開始ボタン１２０が押下されると（ステップＳ１）、切替部４００の切替処理を行ってアクセスユニット１５０とリーダライタ３００とを接続させる（ステップＳ２）。具体的には、主制御部１６０が切替部４００にスイッチ切替用の信号を送信すると、切替部４００は、リーダライタ３００の送受信部３１０をアクセスユニット１５０の送受信部１５２に接続する。次に、主制御部１６０は、アクセスユニット１５０にアクセス指示用の信号を送信して、ＩＣカード１０の検出をアクセスユニット１５０に行わせる（ステップＳ３）。この場合、アクセスユニット１５０のユニット制御部１５１は、リーダライタ３００及び切替部４００を介してＩＣカード１０から応答信号を受信するまで、リーダライタ３００に所定の応答要求信号を送信させる。なお、本実施形態では、ＩＣカード１０固有のカードＩＤ（図示省略）を応答信号として用いている。そして、ＩＣカード１０がリーダライタ３００に載置されると（ステップＳ４）、ＩＣカード１０は、リーダライタ３００から受信した応答要求信号に対して応答信号を送信する。
【００２２】
次いで、ユニット制御部１５１は、リーダライタ３００及び切替部４００を介してＩＣカード１０から応答信号を受信することによりＩＣカード１０を検出するとともに（ステップＳ５）、ＩＣカード１０との間で電子マネーの残高読出処理を行う（ステップＳ６）。具体的には、ユニット制御部１５１は、サービスＩＤ１１ｂが記憶された記憶領域１１から電子マネー残高１１ｃを読出すためのＩＣカード用コマンド（読出コマンド）をリーダライタ３００を介してＩＣカード１０に送信する。一方、ＩＣカード１０は、リーダライタ３００から読出コマンドを受信すると、サービスＩＤ１１ａが記憶された記憶領域１１から利用者ＩＤ１１ｂ及び電子マネー残高１１ｃを読み出すとともに、利用者ＩＤ１１ｂ及び電子マネー残高１１ｃをリーダライタ３００に送信する。そして、ユニット制御部１５１は、リーダライタ３００及び切替部４００を介してＩＣカード１０から受信した利用者ＩＤ１１ｂ及び電子マネー残高１１ｃを主制御部１６０に送信する（ステップS７）。また、主制御部１６０は、ユニット制御部１５１から受信した利用者ＩＤ１１ｂ及び電子マネー残高１１ｃを表示部１３０に表示させる（ステップＳ８）。
【００２３】
次に、入金額指定ボタン１１０を用いて入金額が入力されると（ステップS９）、主制御部１６０は、入力された入金額の投入を要求するメッセージを表示部１３０に表示する。そして、主制御部１６０は、貨幣が投入される毎に貨幣識別装置１４０から送信された投入貨幣の金額を受信し（ステップＳ１０）、投入貨幣の金額の合計が入金額に達した場合に入金額及び入金額を加算するための信号をアクセスユニット１５０に送信する（ステップＳ１１）。アクセスユニット制御部１５１は、送受信部１５２を介して入金額及び入金額を加算するための信号を受信すると、ＩＣカード１０との間で電子マネーの入金処理を行う（ステップＳ１２）。
【００２４】
ここで、電子マネーの入金処理について具体的に説明すると、まず、ユニット制御部１５１は、サービスＩＤ１１ａが記憶された記憶領域１１の電子マネー残高１１ｃに入金額を加算するためのＩＣカード用コマンド（加算コマンド）を生成し、加算コマンドを送受信部１５２及びリーダライタ３００を介してＩＣカード１０に送信する。一方、ＩＣカード１０は、加算コマンドを受信すると、サービスＩＤ１１ａが記憶された記憶領域１１の電子マネー残高１１ｃに入金額を加算するとともに、加算処理の完了を示す信号をリーダライタ３００に送信する。そして、ユニット制御部１５１がリーダライタ３００及び送受信部１５２を介して加算処理の完了を示す信号を受信することにより、電子マネーの入金処理が完了する。また、ユニット制御部１５１は、電子マネーの入金処理が完了した後に、処理が完了したことを示す信号を主制御部１６０に送信する（ステップＳ１３）。
【００２５】
また、第２の端末装置を用いてＩＣカード２０に第２の電子マネーの入金処理を行う場合の動作は、上記のシーケンスと同様である。
【００２６】
このように、本実施形態のＩＣチップ利用システムによれば、アンテナ３３０に接続する複数の端末装置１００，２００を設けるとともに、各端末装置１００，２００とアンテナ３３０との接続を切替える切替部４００を備えたので、リーダライタ３００のアンテナ３３０が第１の端末装置１００に接続された場合には、アンテナ３３０から発生する電波が第２の端末装置２００によって干渉されることがない。従って、複数の端末装置１００，２００を近接して配置した場合でも第１の端末装置１００（または第２の端末装置２００）とＩＣカード１０（またはＩＣカード２０）とのデータ通信を確実に行うことができ、各端末装置１００，２００のそれぞれに対応するサービスを正常に利用することができる。
【００２７】
また、各端末装置１００，２００と切替部４００との間にそれぞれ設けられ、切替部４００によってアンテナ３３０と接続可能となる第１の端末装置１００（または第２の端末装置２００）から受信した信号に基づいてＩＣカード１０（またはＩＣカード２０）の電子マネー残高１１ｃ（または電子マネー残高２１ｃ）の読み書きを行う複数のアクセスユニット１５０，２５０を備えたので、主制御部１６０，２６０がそれぞれＩＣカード１０，２０のデータ処理を行う場合と比較して、主制御部１６０，２６０の負荷を低減させることができる。
【００２８】
さらに、切替部４００をスイッチで構成したので、各端末装置１００，２００の主制御部１６０，２６０がスイッチ切替用の信号を送信することによって、リーダライタ３００のアンテナ３３０から発生させる電波を確実に切替えることができる。
【００２９】
以下に本発明の第２の実施形態に係るＩＣチップ利用システムについて説明する。本実施形態が第１の実施形態と異なる点は、図４に示すように、切替部４００をリーダライタ３００に設け、さらには送受信部３１０とアンテナ３３０との間に設けた点にある。他の構成及び動作については第１の実施形態と同様なので、ここでは相違点のみを説明する。
【００３０】
本実施形態のリーダライタ３００は、第１の端末装置１００のアクセスユニット１５０の送受信部１５２と通信を行うための第１の送受信部３１０と、第２の端末装置２００のアクセスユニット２５０の送受信部２５２と通信を行うための第２の送受信部３１１と、第１の送受信部３１０と切替部４００との間でデジタル信号及びアナログ信号の変換処理を行う第１の変換部３２０と、第２の送受信部３１１と切替部４００との間でデジタル信号及びアナログ信号の変換処理を行う第２の変換部３２１と、アンテナ３３０と、切替部４００とを備えている。
【００３１】
また、本実施形態の切替部４００はアナログスイッチからなり、各変換部３２０，３２１とアンテナ３３０との間に設けられている。また、切替部４００には各端末装置１００，２００の主制御部１６０，２６０が接続されており、切替部４００は、第１の端末装置１００の主制御部１６０からスイッチ切替用の信号を受信すると、リーダライタ３００の送受信部３１０を第１の変換部３２０に接続してアナログ信号を通過させ、第２の端末装置２００の主制御部２６０からスイッチ切替用の信号を受信すると、リーダライタ３００の送受信部３１０を第２の変換部３２１に接続してアナログ信号を通過させるようになっている。
【００３２】
このように、本実施形態のＩＣチップ利用システムによれば、切替部４００をリーダライタ３００に設けたので、システムを構成する装置数を削減することができ、システムのメンテナンス作業が容易になる。
【００３３】
また、リーダライタ３００は、各端末装置１００，２００との間でそれぞれデータの送受信を行う複数の送受信部３１０，３１１を備え、切替部４００を各送受信部３１０，３１１とアンテナ３３０との間に設けたので、アンテナ３３０を各端末装置１００，２００で共通して用いることができ、例えばそれぞれリーダライタが設けられた複数の端末装置を本システムに適用する場合には、リーダライタのアンテナ以外の部品を有効に利用することができる。
【００３４】
以下に本発明の第３の実施形態に係るＩＣチップ利用システムについて説明する。本実施形態が第１及び第２の実施形態と異なる点は、各端末装置１００，２００のそれぞれに接続されたアクセスユニット１５０を設けるとともに、切替部４００をアクセスユニット１５０に設けた点にある。他の構成及び動作については第１の実施形態と同様なので、ここでは相違点のみを説明する。
【００３５】
アクセスユニット１５０は、各端末装置１００，２００とリーダライタ３００との間に設けられており、ユニット制御部１５１は、切替部４００を介して送受信部１５２に送信された信号に基づいて第１及び第２の電子マネーサービスのＩＣカード用コマンドを生成し、生成したＩＣカード用コマンドを送受信部１５２からリーダライタ３００に送信する。
【００３６】
また、切替部４００は、各端末装置１００，２００の主制御部１６０，２６０と、アクセスユニット１５０の送受信部１５２に接続されており、第１の端末装置１００の主制御部１６０からスイッチ切替用の信号を受信すると、送受信部１５２を主制御部１６０に接続し、第２の端末装置２００の主制御部２６０からスイッチ切替用の信号を受信すると、送受信部１５２を主制御部２６０に接続する。
【００３７】
このように、本実施形態のＩＣチップ利用システムによれば、各端末装置１００，２００とアンテナ３３０との間に設けられ、切替部４００によってアンテナ３３０と接続可能となる端末装置１００（または端末装置２００）からのアクセス指示に基づいてＩＣカード１０（またはＩＣカード２０）の電子マネー残高１１ｃ（または電子マネー残高２１ｃ）の読み書きを行うアクセスユニット１５０を備え、切替部４００をアクセスユニット１５０に設けたので、１台のアクセスユニット１５０が複数のＩＣカード１０，２０の電子マネー残高１１ｃ，２１ｃの読み書きを行うことから、各端末装置１００，２００の主制御部１６０，２６０にはＩＣカード１０，２０のデータ処理に係る負荷がかからない。従って、各端末装置１００，２００の各機器の制御を円滑に行わせることができる。
【００３８】
なお、上記実施形態では、第１または第２の電子マネーサービス用の記憶領域１１，２１が設けられたＩＣカード１０，２０を用いたものを説明したが、図６に示すように、ＩＣチップに第１及び第２の電子マネーサービスの記憶領域１１，２１が設けられたＩＣカード１０を用いてもよい。
【００３９】
また、上記実施形態では、ＩＣチップ利用システムとして複数の電子マネーサービスを用いたものを説明したが、他にもＩＣチップを用いた個人認証サービスやポイントサービス等を適用することができる。
【００４０】
さらに、上記実施形態では、ＩＣチップを備えた媒体としてＩＣカード１０，２０を用いたものを示したが、他にもＩＣチップを備えた携帯電話や腕時計等を用いてもよい。
【図面の簡単な説明】
【００４１】
【図１】本発明の第１の実施形態に係るＩＣチップ利用システムの機能構成図
【図２】ＩＣカードのメモリ空間を示す図
【図３】電子マネーの入金処理を示すシーケンス図
【図４】本発明の第２の実施形態に係るＩＣチップ利用システムの機能構成図
【図５】本発明の第３の実施形態に係るＩＣチップ利用システムの機能構成図
【図６】実施形態の変形例を示すＩＣカードのメモリ空間を示す図
【符号の説明】
【００４２】
１０，２０…ＩＣカード、１１ｃ，２１ｃ…電子マネー残高、１００…第１の端末装置、２００…第２の端末装置、１５０，２５０…アクセスユニット、３００…リーダライタ、３１０…送受信部、３３０…アンテナ、４００…切替部。
【図１】
2007265241.tif 000003
【図２】
2007265241.tif 000004
【図３】
2007265241.tif 000005
【図４】
2007265241.tif 000006
【図５】
2007265241.tif 000007
【図６】
2007265241.tif 000008